(57)【要約】【課題】装飾品の保護を目的として、該装飾品の少なくとも一部がケース内に収容されて支持されるとともに、紐状又は帯状の装着体をケースに穿設された２つの挿通孔に挿通させて該装着体にケースを保持する装身具であって、装飾品及び挿通孔の配置の自由度が高い装身具を提供することを課題とする。【解決手段】装飾品の少なくとも一部をケース内に収容して支持する支持機構と、ケースを身体に装着させるようにフレキシブルに変形可能な紐状又は帯状の装着体とを設け、ケースには装飾品を外部に露出させる露出窓と複数の挿通孔とが形成され、ケースが装着体に保持されるように、該装着体が２つの挿通孔に挿通され、装着体におけるケース内に位置する部分を、該２つの挿通孔を結んだ仮想線上から、装飾品から遠ざかる方向に退避させる。【選択図】図３
2020025783.tif 000002
【特許請求の範囲】
【請求項１】
装飾品がケースに支持された装身具であって、
前記装飾品と、
前記ケースと、
前記装飾品を、その少なくとも一部が前記ケース内に収容された状態で、該ケースに支持する支持機構と、
前記ケースを身体に装着させるようにフレキシブルに変形可能な紐状又は帯状の装着体とを備え、
前記ケースには前記装飾品を外部に露出させる露出窓と複数の挿通孔とが形成され、
前記ケースが前記装着体に保持されるように、該装着体が２つの前記挿通孔である使用挿通孔に挿通され、
前記装着体における前記ケース内に位置する部分を、２つの前記使用挿通孔を結んだ仮想線上から、前記装飾品から遠ざかる方向に退避させる退避手段を設けた
ことを特徴とする装身具。
【請求項２】
前記支持機構は、前記装飾品を前記ケースに揺動可能に支持するように構成された
請求項１に記載の装身具。
【請求項３】
前記退避手段は前記装着体を前記ケースの内面側に係止する係止部である
請求項１又は２の何れかに記載の装身具。
【請求項４】
前記係止部は前記挿通孔よりも前記露出窓から遠い側に配置された
請求項３に記載の装身具。
【請求項５】
前記係止部は、前記挿通孔毎に設けられた
請求項３又は４の何れかに記載の装身具。
【請求項６】
前記係止部は前記装着体を挿通される係止リング部である
請求項３乃至５の何れかに記載の装身具。
【請求項７】
前記ケースは、環状の周壁部と、該周壁部の一端側を塞ぐ蓋部とを有し、
前記蓋部には前記露出窓が形成され、
前記挿通孔は前記周壁部に穿設され、
前記係止部は前記周壁部の内周面側に一体的に形成された
請求項３乃至６の何れかに記載の装身具。
【請求項８】
前記装飾品は前記ケース内における前記露出窓寄り部分に配置され、
前記周壁部における前記蓋部から遠い側の部分には、前記係止部が一体的に形成された
請求項７に記載の装身具。
【発明の詳細な説明】
【技術分野】
【０００１】
本発明は、装飾品がケースに支持された装身具に関する。
【背景技術】
【０００２】
装飾品と、ケースと、前記装飾品を、その少なくとも一部が前記ケース内に収容された状態で、該ケースに支持する支持機構と、前記ケースを身体に装着させるようにフレキシブルに変形可能な紐状又は帯状の装着体とを備え、前記ケースには前記装飾品を外部に露出させる露出窓と複数の挿通孔とが形成され、前記ケースを前記装着体に保持されるように、該装着体が２つの前記挿通孔である使用挿通孔に挿通された特許文献１に示す装身具が公知になっている。
【０００３】
このような構成の装身具によれば、装飾品の少なくとも一部がケース内に収容されて保護されるので、該装飾品の破損を防止できる。一方、前記ケースが前記装着体に保持されるように２つの前記挿通孔に挿通された該装着体における前記ケース内に位置する部分が、前記装飾品に接触しないようにするため、装飾品及び挿通孔の配置構成に大きな制限がある。
【先行技術文献】
【特許文献】
【０００４】
【特許文献１】特開２００６−１５８４５５号公報
【発明の概要】
【発明が解決しようとする課題】
【０００５】
本発明は、装飾品の保護を目的として、該装飾品の少なくとも一部がケース内に収容されて支持されるとともに、紐状又は帯状の装着体をケースに穿設された２つの挿通孔に挿通させて該装着体にケースを保持する装身具であって、装飾品及び挿通孔の配置の自由度が高い装身具を提供することを課題とする。
【課題を解決するための手段】
【０００６】
上記課題を解決するため、装飾品がケースに支持された装身具であって、前記装飾品と、前記ケースと、前記装飾品を、その少なくとも一部が前記ケース内に収容された状態で、該ケースに支持する支持機構と、前記ケースを身体に装着させるようにフレキシブルに変形可能な紐状又は帯状の装着体とを備え、前記ケースには前記装飾品を外部に露出させる露出窓と複数の挿通孔とが形成され、前記ケースが前記装着体に保持されるように、該装着体が２つの前記挿通孔である使用挿通孔に挿通され、前記装着体における前記ケース内に位置する部分を、２つの前記使用挿通孔を結んだ仮想線上から、前記装飾品から遠ざかる方向に退避させる退避手段を設けたことを特徴とする。
【０００７】
前記支持機構は、前記装飾品を前記ケースに揺動可能に支持するように構成されたものとしてもよい。
【０００８】
前記退避手段は前記装着体を前記ケースの内面側に係止する係止部であるものとしてもよい。
【０００９】
前記係止部は前記挿通孔よりも前記露出窓から遠い側に配置されたものとしてもよい。
【００１０】
前記係止部は、前記挿通孔毎に設けられたものとしてもよい。
【００１１】
前記係止部は前記装着体を挿通される係止リング部であるものとしてもよい。
【００１２】
前記ケースは、環状の周壁部と、該周壁部の一端側を塞ぐ蓋部とを有し、前記蓋部には前記露出窓が形成され、前記挿通孔は前記周壁部に穿設され、前記係止部は前記周壁部の内周面側に一体的に形成されたものとしてもよい。
【００１３】
前記装飾品は前記ケース内における前記露出窓寄り部分に配置され、前記周壁部における前記蓋部から遠い側の部分には、前記係止部が一体的に形成されたものとしてもよい。
【発明の効果】
【００１４】
紐状又は帯状の装着体に保持されたケースによって装飾品をカバーして保護するとともに、退避手段によって、装着体を挿通させる挿通孔と装飾品の配置の自由度が高くなる。
【図面の簡単な説明】
【００１５】
【図１】装身具の要部平面図である。
【図２】装身具の要部正面図である。
【図３】ケースを切断した装身具の正断面図である。
【図４】ケースを切断した装身具の平断面図である。
【図５】被支持リング部及び支持リング部の側面図である。
【発明を実施するための形態】
【００１６】
図１，図２は装身具の要部平面図及び正面図であり、図３，図４はケースを切断した装身具の正断面図及び平断面図であり、図５は被支持リング部及び支持リング部の側面図である。装身具は本例ではブレスレット１である。ブレスレット１は、金属製のケース２と、該ケース２を保持し且つ身体の一部である手首に装着される紐状又は帯状の装着体である装着紐３と、装飾品４と、該装飾品４の少なくとも一部をケース２内に収容して支持する支持機構６とを備えている。
【００１７】
上記ケース２は、ケース本体となる有底の容器７と、該容器７の開放端側を閉塞する蓋部８とによって構成され、全体として容器７の深さが浅い扁平形状に成形されている。容器７は、身体の装着面を垂直に見た方向視（以下、単に平面視）で円形、楕円又は長円形（本例では楕円形）の環状に成形された周壁部９と、該周壁部９の身体（具体的には手首）に接する側の端部を塞ぐように一体成形された底部１１とを有している。蓋部８は、周壁部９の底部８と反対側の端部に溶接又は嵌め込み固定され、該端部を閉塞している。
【００１８】
蓋部８の中心部には、ケース２の内部を露出させる円形の露出窓８ａが開口形成されている。周壁部９には、装着紐３を挿通させる複数の挿通孔９ａ、９ａが穿設されている。本例では、挿通孔９ｂが周壁部９に２つ穿設されているが、３つ以上穿設してもよい。装着紐３を、必ず２つの挿通孔９ａ，９ａである使用挿通孔９ａ，９ａに挿通させれ、該２つの使用挿通孔９ａ，９ａの間の部分は、ケース２の内部に収容される被収容部３ａになる。
【００１９】
ちなみに、３つ以上の挿通孔９ａをケース２に穿設した場合には、その内の２つが使用挿通孔９ａになり、それ以外が未使用挿通孔９ａになる。
【００２０】
図示する２つの挿通孔９ｂ、９ｂは、平面視で、ケース２の中心部を挟んだ一方側と他方側とにそれぞれ配置されている。さらに、ケース２が平面視で楕円形又は長円形に成形されている場合、２つの挿通孔９ｂ、９ｂを結んだ仮想線Ｌ１が、平面視で、該長円形または該楕円状の長軸上又は長軸に沿う位置に配される。
【００２１】
この２つの挿通孔９ｂ、９ｂは、蓋部８からの距離が同一に設定され、この距離は挿通孔９ｂ、９ｂと底部との間の距離よりも短く設定されている。言換えると、各挿通孔９ｂは、ケース２の周壁部９の蓋部９寄り位置に配置されている。
【００２２】
底部１１には複数のアクセス窓１１ａが穿設されている。この底部１１におけるアクセス窓１１ａ以外の部分が底面視でＸ状に形成されている。
【００２３】
上記装飾品４は、装飾品本体となるメインストーン１２と、マウントと呼ばれる金属製の石座１３とを有している。
【００２４】
メインストーン１２は、本例では、カッティングされたダイヤモンドである。ダイヤモンド１２のカットの種類は、図示する例では、ラウンドブリリアントカットであるが、これに限定されるものではなく、ハートシェイプ、ペアシェイプ、オーバルカット又はマーキースシェイプ等の種々のものが採用可能である。また、メインストーン１２の種類もダイヤモンドに限定されず、エメラルド等の他の種類の石であってもよい。
【００２５】
石座１３は、メインストーン１２をホールドする形状に成形される。この石座１３には、該ホールド状態でメインストーン１２を係止する複数（本例では４つ）の係止爪（ブロング）１４と、該石座１３をケース２側に係合して支持させるための複数の被支持部である被支持リング部１６とが一体成形されている。
【００２６】
係止爪１４はメインストーン１２の周囲に等間隔で配置されている。被支持リング部１６は、平面視で、前記仮想線Ｌ１上において、メインストーン１２の中心を挟んだ対称位置にそれぞれ配置されている。各被支持リング部１６は、石座１３のメインストーン１２をホールドする本体部分から側方に突出し、前記仮想線Ｌ１に対して垂直な方向で且つ底部１１に平行な方向から見て円形環状に成形されている。
【００２７】
上記支持機構６は、一対の前記被支持リング部１６，１６と、該被支持リング部１６，１６毎に設けられ且つ該被支持リング部１６，１６を支持する支持部となる支持リング部１７，１７とを備えている。この一対の支持リング部１７，１７は、平面視で、前記仮想線Ｌ１上において、露出窓８ａ側の縁部における円形中心を挟んだ対称位置にそれぞれ配置されている。各支持リング部１７は、蓋部８から下方に延出され、前記仮想線Ｌ１の軸方向視で、円形環状に成形されている。
【００２８】
被支持リング部１６と支持リング部１７とを係合させて該支持リング部１７を前記被支持リング部１６に支持させるにあたり、被支持リング部１６及び支持リング部１７の一方（本例では、支持リング部１７）は、分離部１７ａを境に分離されて予めフック形状に変形させておくか、或いはその場で変形させてフック形状に変形させる。
【００２９】
そして、被支持部１６及び支持部１７におけるフック形状をなす一方を、他方のリング形状に引っ掛けて係合させ、該一方のフック形状の分離部１７ａを近接又は接触させて上述のリング形状とし、被支持リング部１６及び支持リング部１７とを分離されないように連結させる。
【００３０】
なお、被支持部１６と支持部１７とを係合させて連結させた後も、被支持部１６及び支持部１７の一方のフック形状を、リング形状に戻さずにそのままとしてもよい。
【００３１】
以上のようにして、一対の被支持リング部１６，１６を、対応する支持リング部１７，１７に係合させて分離しないように連結させることにより、前記装飾品４がケース２の内部の露出窓８ａ寄り箇所に支持される。この状態では、平面視で、露出窓８ａの中心部分に装飾品４に位置し、該装飾品４が、一対の支持リング部１７，１７の中心同士を結んだ仮想線Ｌ２の軸回りに揺動可能（可動可能）にケース２に支持される。
【００３２】
上述の支持構造から、露出窓８ａは、ケース２内に収容された装飾品４の全体を露出させる開口部として機能する。このため、平面視で、露出窓８ａは、装飾品４のサイズよりも大きく開口形成されている。
【００３３】
上記装着紐３は、ケース２の対称位置に形成された一対の挿通孔９ａ，９ａに挿通させることにより、該装着紐３にケース２を保持させ、該装着紐３の端部同士を結束して環状に形成させる。この装着紐３は、フレキシブルに変形可能であって且つ伸縮可能なように弾性部材によって構成されているため、該装着紐の環状形状も径が伸縮し、様々な手首のサイズに対応させることが可能である。また、この装着紐３には、ケース２の他にも、数珠等の様々な装飾品を、移動可能に挿通させて取付けることが可能である。
【００３４】
ところで、図３に示す通り、前記仮想線Ｌ１上には、装飾品４が位置しているため、このままでは、装着紐３の被収容部３ａが、装飾品４と接触して該装飾品４を破損させる虞がある。このため、この装身具１には、被収容部３ａを、前記仮想線Ｌ１上を基準として、装飾品４から遠ざかる側に退避させる退避手段を設けている。
【００３５】
退避手段は、装着紐３をケース２の周壁部９の内周面側に係止する係止部である金属製の係止リング部１８によって構成される。この係止リング部１８には、周壁部９の内周面から平面視で前記ケース２の中心側に突出している。該係止リング部１８は、装着紐３が挿通されて係止されるように構成される。該係止リング部１８は、前記周壁部９に溶接等で一体的に取付けられて該周壁部９と一体的に成形されている。
【００３６】
この係止リング部１８，１８は、複数の挿通孔９ａ，９ａ毎に設けられ、前記周壁部９における該挿通孔９ａ，９ａよりも前記露出窓８ａから遠い側（具体的には周壁部９の底部１１側の端部）に配置されている。
【００３７】
この係止リング部１８は、平面視で、周壁部９における挿通孔９ａが穿設された側に配置形成されている。
【００３８】
挿通孔９ａからケース２内に挿通された装着紐３は、該挿通孔９ａ側の係止リング部１８に挿通され、さらに他の係止リング部１８に挿通され、最後に、該他の係止リング部１８側の挿通孔９ａから前記ケース２の外側に挿通されることにより、該装着紐３にケース２が保持される。
【００３９】
このような退避手段によって、装着紐３と装飾品４との接触が防止される。
【００４０】
なお、装着紐３に代えて、金属製のチェーンや、布製の帯等を用いてもよい。また、装飾品の一例として、ブレスレット１について説明したが、これ以外にも指輪や、ネックレス等に本発明を適用することが可能である。
【符号の説明】
【００４１】
１  ブレスレット（装身具）
２  ケース
３  装着紐（装着体）
４  装飾品
６  支持機構
８  蓋部
８ａ  露出窓
９  周壁部
９ａ  挿通孔（使用挿通孔）
１８  係止リング部（係止部）
Ｌ１  仮想線
【図１】
2020025783.tif 000003
【図２】
2020025783.tif 000004
【図３】
2020025783.tif 000005
【図４】
2020025783.tif 000006
【図５】
2020025783.tif 000007